【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
回転可能な像担持体と、
前記像担持体を帯電位置において帯電させる帯電装置と、
前記像担持体と転写位置において当接可能に設けられ、前記像担持体上のトナー像を転写材に転写する転写装置と、
前記転写装置と前記像担持体とを、前記像担持体の回転を停止する前に、当接状態から離間状態へと離間させる離間動作を行う転写離間機構と、
前記像担持体の回転方向の前記転写位置より下流且つ前記帯電位置より上流の除電位置において、前記像担持体上の静電像が形成される領域である画像形成領域を、該静電像が形成される前に除電する除電装置であって、前記像担持体の回転を停止する直前の前記画像形成領域を除電したのちに一旦除電を停止して、前記帯電装置によって帯電された領域のうち前記離間動作中に前記転写位置を通過した前記像担持体上の領域である転写離間領域を、さらに除電する除電装置と、
を備えることを特徴とする画像形成装置。
【請求項２】
前記像担持体、前記帯電装置、及び前記除電装置を備えた複数の画像形成部を有し、前記転写装置は前記複数の画像形成部の各像担持体と当接可能に設けられており、前記転写離間機構は前記複数の画像形成部の各像担持体のうち少なくとも１つと前記転写装置との間で前記離間動作を行うことを特徴とする請求項１に記載の画像形成装置。
【請求項３】
回転可能な像担持体と、前記像担持体を帯電位置において帯電させる帯電装置と、前記像担持体の回転方向の帯電位置より上流の除電位置において、前記像担持体上の静電像が形成される領域である画像形成領域を、該静電像が形成される前に除電する除電装置と、を各々が有する複数の画像形成部と、
前記複数の画像形成部における各像担持体の回転方向の前記帯電位置より下流且つ除電位置より上流の転写位置において、前記各像担持体と当接可能に設けられ、前記各像担持体上のトナー像を転写材に転写する転写装置と、
前記各像担持体のうち少なくとも１つと前記転写装置との間で、該像担持体の回転を停止する前に、当接状態から離間状態へと離間させる離間動作を行う転写離間機構と、
を備える画像形成装置において、
前記複数の画像形成部のうち画像形成に寄与する画像形成部の数が互いに異なる第１及び第２の画像形成モードを有し、
前記像担持体と前記転写装置とが当接状態にて、前記像担持体の回転を停止する第１の停止モードと、前記像担持体と前記転写装置とを当接状態から離間状態にさせてから前記像担持体の回転を停止する第２の停止モードと、を有し、
前記複数の画像形成部は、第１の画像形成部と第２の画像形成部とを備え、
前記第１の画像形成モードでは、前記第１の画像形成部及び前記第２の画像形成部の前記像担持体は前記当接状態でそれぞれ画像形成を行い、
前記第２の画像形成モードでは、前記第１の画像形成部の前記像担持体は前記転写装置と前記離間状態で画像形成を行わず、且つ前記第２の画像形成部の前記像担持体は前記転写装置と前記当接状態で画像形成を行い、
ここで、前記第１の画像形成モードで画像形成を行った後に前記第１及び第２の画像形成部の各像担持体の回転を停止する時、前記第１及び第２の画像形成部の各像担持体は前記第１の停止モードで停止し、前記第２の画像形成モードで画像形成を行った後に前記第２の画像形成部の前記像担持体の回転を停止する時、前記第２の画像形成部の前記像担持体は前記第１の停止モードで停止し、前記第１の画像形成モードで画像形成を行った後に前記第２の画像形成モードで画像形成を行う際には、前記第１の画像形成部の前記像担持体は、前記第２の停止モードで停止し、前記除電装置は、前記第２の停止モードにおいて、前記帯電装置によって帯電された領域のうち前記離間動作中に前記転写位置を通過した前記像担持体上の領域である転写離間領域を除電し、前記像担持体の回転を停止する直前の前記画像形成領域の先端が前記除電位置を通過してから、前記像担持体の回転を停止する前の前記除電装置の除電が停止されるまでの時間は、前記第１の停止モードの方が前記第２の停止モードよりも短いことを特徴とする画像形成装置。
【請求項４】
前記第２の画像形成モードでは黒色のトナーのみを用いて画像形成を行うことを特徴とする請求項３に記載の画像形成装置。
【手続補正２】
【補正対象書類名】明細書
【補正対象項目名】００１７
【補正方法】変更
【補正の内容】
【００１７】
上記目的は本発明に係る画像形成装置にて達成される。要約すれば、本発明は、回転可能な像担持体と、前記像担持体を帯電位置において帯電させる帯電装置と、前記像担持体と転写位置において当接可能に設けられ、前記像担持体上のトナー像を転写材に転写する転写装置と、前記転写装置と前記像担持体とを、前記像担持体の回転を停止する前に、当接状態から離間状態へと離間させる離間動作を行う転写離間機構と、前記像担持体の回転方向の前記転写位置より下流且つ前記帯電位置より上流の除電位置において、前記像担持体上の静電像が形成される領域である画像形成領域を、該静電像が形成される前に除電する除電装置であって、前記像担持体の回転を停止する直前の前記画像形成領域を除電したのちに一旦除電を停止して、前記帯電装置によって帯電された領域のうち前記離間動作中に前記転写位置を通過した前記像担持体上の領域である転写離間領域を、さらに除電する除電装置と、を備えることを特徴とする画像形成装置である。
【手続補正３】
【補正対象書類名】明細書
【補正対象項目名】００１８
【補正方法】変更
【補正の内容】
【００１８】
本発明の他の態様によれば、回転可能な像担持体と、前記像担持体を帯電位置において帯電させる帯電装置と、前記像担持体の回転方向の帯電位置より上流の除電位置において、前記像担持体上の静電像が形成される領域である画像形成領域を、該静電像が形成される前に除電する除電装置と、を各々が有する複数の画像形成部と、前記複数の画像形成部における各像担持体の回転方向の前記帯電位置より下流且つ除電位置より上流の転写位置において、前記各像担持体と当接可能に設けられ、前記各像担持体上のトナー像を転写材に転写する転写装置と、前記各像担持体のうち少なくとも１つと前記転写装置との間で、該像担持体の回転を停止する前に、当接状態から離間状態へと離間させる離間動作を行う転写離間機構と、を備える画像形成装置において、前記複数の画像形成部のうち画像形成に寄与する画像形成部の数が互いに異なる第１及び第２の画像形成モードを有し、前記像担持体と前記転写装置とが当接状態にて、前記像担持体の回転を停止する第１の停止モードと、前記像担持体と前記転写装置とを当接状態から離間状態にさせてから前記像担持体の回転を停止する第２の停止モードと、を有し、前記複数の画像形成部は、第１の画像形成部と第２の画像形成部と、を備え、前記第１の画像形成モードでは、前記第１の画像形成部及び前記第２の画像形成部の前記像担持体は前記当接状態でそれぞれ画像形成を行い、前記第２の画像形成モードでは、前記第１の画像形成部の前記像担持体は前記転写装置と前記離間状態で画像形成を行わず、且つ前記第２の画像形成部の前記像担持体は前記転写装置と前記当接状態で画像形成を行い、ここで、前記第１の画像形成モードで画像形成を行った後に前記第１及び第２の画像形成部の各像担持体の回転を停止する時、前記第１及び第２の画像形成部の各像担持体は前記第１の停止モードで停止し、前記第２の画像形成モードで画像形成を行った後に前記第２の画像形成部の前記像担持体の回転を停止する時、前記第２の画像形成部の前記像担持体は前記第１の停止モードで停止し、前記第１の画像形成モードで画像形成を行った後に前記第２の画像形成モードで画像形成を行う際には、前記第１の画像形成部の前記像担持体は、前記第２の停止モードで停止し、前記除電装置は、前記第２の停止モードにおいて、前記帯電装置によって帯電された領域のうち前記離間動作中に前記転写位置を通過した前記像担持体上の領域である転写離間領域を除電し、前記像担持体の回転を停止する直前の前記画像形成領域の先端が前記除電位置を通過してから、前記像担持体の回転を停止する前の前記除電装置の除電が停止されるまでの時間は、前記第１の停止モードの方が前記第２の停止モードよりも短いことを特徴とする画像形成装置が提供される。